(57)【要約】      （修正有）【課題】製造コストを抑えつつ、自己診断結果を確認できる電子機器、電子機器の自己診断方法、及び自己診断プログラムを提供する。【解決手段】電子機器は、所定の機能を有する回路部と、回路部の診断処理を実行する診断部と、電池残量又は電波強度を表示する表示部４と、表示部の表示対象を診断部の診断結果に切り替える切替部と、を備える。電波強度又は電池残量の表示用として予め設けられているＬＥＤ４を利用して、エンベデッドコントローラ１０８又はＣＰＵ１０１による自己診断処理の診断結果を表示する。【選択図】図４
2019082775.tif 000002
【特許請求の範囲】
【請求項１】
所定の機能を有する回路部と、
前記回路部の診断処理を実行する診断部と、
電池残量又は電波強度を表示する表示部と、
前記表示部の表示対象を前記診断部の診断結果に切り替える切替部と、
を備えることを特徴とする電子機器。
【請求項２】
画像又はテキスト情報を表示するディスプレイ
をさらに備え、
前記表示部は、前記ディスプレイとは別に設けられている
ことを特徴とする請求項１に記載の電子機器。
【請求項３】
前記回路部は、電源投入時に所定の起動シーケンスに従って起動される電源回路を含み、
前記診断部は、前記電源回路ごとに前記診断処理を実行する
ことを特徴とする請求項２に記載の電子機器。
【請求項４】
前記切替部は、ユーザの操作に応じて前記表示対象を切り替える
ことを特徴とする請求項１乃至３のいずれか一項に記載の電子機器。
【請求項５】
前記診断結果を記憶する記憶部
をさらに備え、
前記切替部は、前記操作に応じて前記記憶部から取得した前記診断結果に基づいて前記表示対象を切り替える
ことを特徴とする請求項４に記載の電子機器。
【請求項６】
前記表示部は、複数の表示素子を含み、
前記切替部は、前記診断結果に基づいて前記複数の表示素子のＯＮ／ＯＦＦを個別に制御する
ことを特徴とする請求項１乃至５のいずれか一項に記載の電子機器。
【請求項７】
前記切替部は、前記診断結果を示すＮ（Ｎ≧２）ビットのバイナリデータにビット単位で予め対応付けられたＮ個の前記表示素子を個別に制御する
ことを特徴とする請求項６に記載の電子機器。
【請求項８】
前記切替部は、前記診断結果に基づいて前記複数の表示素子の表示色を変化させる
ことを特徴とする請求項６に記載の電子機器。
【請求項９】
電池残量又は電波強度を表示装置に表示する表示ステップと、
所定の機能を有する回路の診断処理を実行する診断ステップと、
前記表示装置における表示対象を前記診断ステップの診断結果に切り替える切替ステップと、
を備えることを特徴とする電子機器の自己診断方法。
【請求項１０】
コンピュータに、
電池残量又は電波強度を表示装置に表示する表示ステップと、
所定の機能を有する回路の診断処理を実行する診断ステップと、
前記表示装置における表示対象を前記診断ステップの診断結果に切り替える切替ステップと、
を実行させることを特徴とする自己診断プログラム。
【発明の詳細な説明】
【技術分野】
【０００１】
本発明は、電子機器、電子機器の自己診断方法、及び自己診断プログラムに関する。
【背景技術】
【０００２】
特許文献１には、起動時（電源投入時）においてＣＰＵがＢＩＯＳ−ＲＯＭに格納された自己診断プログラムを読み出し、メモリやキーボードなどの各種デバイスの自己診断テスト（ＰＯＳＴ：Ｐｏｗｅｒ−Ｏｎ  Ｓｅｌｆ−Ｔｅｓｔ）を実行するとともに、自己診断結果（ＰＯＳＴコード）を７セグメント表示器により表示するパーソナルコンピュータが開示されている。
【先行技術文献】
【特許文献】
【０００３】
【特許文献１】特開平１０−０１１３２８号公報
【発明の概要】
【発明が解決しようとする課題】
【０００４】
しかしながら、上述した特許文献１に記載のパーソナルコンピュータのように、画像やテキスト情報を表示する通常のディスプレイに加えて、自己診断結果を表示するための表示器を搭載する場合には、回路構造が複雑化し、製造コストが増加してしまう。
【０００５】
そこで、本発明は、上述の課題に鑑み、製造コストを抑えつつ、自己診断結果を確認できる電子機器、電子機器の自己診断方法、及び自己診断プログラムを提供することを目的とする。
【課題を解決するための手段】
【０００６】
本発明の一つの観点によれば、所定の機能を有する回路部と、前記回路部の診断処理を実行する診断部と、電池残量又は電波強度を表示する表示部と、前記表示部の表示対象を前記診断部の診断結果に切り替える切替部と、を備えることを特徴とする電子機器が提供される。
【０００７】
本発明の他の観点によれば、電池残量又は電波強度を表示装置に表示する表示ステップと、所定の機能を有する回路の診断処理を実行する診断ステップと、前記表示装置における表示対象を前記診断ステップの診断結果に切り替える切替ステップと、を備えることを特徴とする電子機器の自己診断方法が提供される。
【０００８】
本発明のさらに他の観点によれば、コンピュータに、電池残量又は電波強度を表示装置に表示する表示ステップと、所定の機能を有する回路の診断処理を実行する診断ステップと、前記表示装置における表示対象を前記診断ステップの診断結果に切り替える切替ステップと、を実行させることを特徴とする自己診断プログラムが提供される。
【発明の効果】
【０００９】
本発明によれば、製造コストを抑えつつ、自己診断結果を確認できる電子機器、電子機器の自己診断方法、及び自己診断プログラムを提供することができる。
【図面の簡単な説明】
【００１０】
【図１】第１実施形態に係る電子機器を表側から見たときの図である。
【図２】第１実施形態に係る電子機器を裏側から見たときの図である。
【図３】第１実施形態に係る電子機器のハードウェア構成例を示すブロック図である。
【図４】第１実施形態に係る電子機器におけるエンベデッドコントローラ周辺の回路図である。
【図５】第１実施形態に係る電子機器の自己診断処理の具体例を示すフローチャートである。
【図６】第１実施形態における電源回路の起動シーケンスとＥＣ用メモリ内でのデータ変化との関係を説明する図である。
【図７】第１実施形態に係る電子機器の起動診断モード時の表示制御の具体例を示すフローチャートである。
【図８】第１実施形態に係る電子機器の通常モード時の表示制御の具体例を示すフローチャートである。
【図９】第１実施形態におけるディップスイッチの選択モードとＬＥＤの表示対象との関係を説明する図である。
【図１０】第２実施形態に係る電子機器の機能を示すブロック図である。
【発明を実施するための形態】
【００１１】
以下、図面を参照して、本発明の実施形態を説明する。なお、以下で説明する図面において、同一の機能又は対応する機能を有する要素には同一の符号を付し、その繰り返しの説明は省略することもある。
【００１２】
［第１実施形態］
図１は、第１実施形態に係る電子機器１を表側から見たときの図である。図１に示すように、本実施形態に係る電子機器１は、タブレット端末であり、表側の中央部には、タッチスクリーン２が設けられている。タッチスクリーン２の上側には、カメラ３が設けられている。タッチスクリーン２の右側には、タッチスクリーン２とは別の表示手段としてＬＥＤ４が設けられている。ＬＥＤ４は、電子機器１における図示しないセンサの検出値を表示する。なお、本実施形態のＬＥＤ４は、電池残量を表示する電池残量表示部４Ａと、周辺の電波強度（アンテナレベル）を表示する電波強度表示部４Ｂとに分けられている。また、電池残量表示部４Ａ及び電波強度表示部４Ｂは、それぞれ４個の発光素子から構成されている。
【００１３】
図２は、第１実施形態に係る電子機器１を裏側から見たときの図である。ここでは、後述するバッテリー１１１が取り付けられるバッテリー取付部５の中に、ディップスイッチ６が設けられている。ディップスイッチ６は、ユーザがＬＥＤ４における表示対象を選択するために使用するスイッチである。ＬＥＤ４における表示対象とディップスイッチ６の操作との関係については、後述する。
【００１４】
図３は、図１に示す電子機器１のハードウェア構成例を示すブロック図である。電子機器１は、上述したカメラ３、ＬＥＤ４、及びディップスイッチ６の他に、バスライン１００、ＣＰＵ（Ｃｅｎｔｒａｌ  Ｐｒｏｃｅｓｓｉｎｇ  Ｕｎｉｔ）１０１、メモリ１０２、記憶装置１０３、通信インタフェース１０４、入力装置１０５、ディスプレイ１０６、及びスピーカ１０７を備える。
【００１５】
ＣＰＵ１０１は、記憶装置１０３に記録されたプログラムをメモリ１０２上にロードして実行することにより、電子機器１の全体の制御及び演算処理を行うプロセッサである。また、ＣＰＵ１０１は、記憶装置１０３に処理結果のデータを記録し、通信インタフェース１０４を介して処理結果のデータを外部に送信する。
【００１６】
メモリ１０２は、ＣＰＵ１０１が処理中のデータや記憶装置１０３から読み出されたデータを一時的に記憶するＲＡＭ（Ｒａｎｄｏｍ  Ａｃｃｅｓｓ  Ｍｅｍｏｒｙ）などを含む。
【００１７】
記憶装置１０３は、ＣＰＵ１０１が実行するプログラムや、プログラムによる処理結果のデータなどを記憶する。記憶装置１０３は、読み取り専用のＲＯＭ（Ｒｅａｄ  Ｏｎｌｙ  Ｍｅｍｏｒｙ）や、読み書き可能のハードディスクドライブ又はフラッシュメモリなどを含む。また、記憶装置１０３は、ＣＤ−ＲＯＭなどのコンピュータ読取可能な可搬記憶媒体を含んでもよい。
【００１８】
通信インタフェース１０４は、データの送受信を行う通信部であり、有線通信及び無線通信の少なくとも一方の通信方式を実行可能に構成される。通信インタフェース１０４は、該通信方式に必要なプロセッサ、回路、アンテナ、接続端子などを含む。通信インタフェース１０４は、ＣＰＵ１０１からの制御信号に従って、該通信方式を用いて通信を行う。
【００１９】
入力装置１０５は、ユーザからの入力を受け付けるキーボードなどを含み、入力された内容を信号としてＣＰＵ１０１に送信する。
【００２０】
ディスプレイ１０６は、ＣＰＵ１０１からの制御信号に従って、所定の情報を表示する表示装置である。ディスプレイ１０６としては、液晶ディスプレイなどの任意の表示装置を用いることができる。なお、本実施形態では、入力装置１０５及びディスプレイ１０６が一体化されたタッチスクリーン２が用いられる。スピーカ１０７は、ＣＰＵ１０１からの制御信号に従って音声を出力する音声出力装置である。
【００２１】
さらに、電子機器１は、エンベデッドコントローラ（ＥＣ：Ｅｍｂｅｄｄｅｄ  Ｃｏｎｔｒｏｌｌｅｒ）１０８、ＥＣ用メモリ１０９、第１電源回路１１０Ａ、第２電源回路１１０Ｂ、第３電源回路１１０Ｃ、第４電源回路１１０Ｄ、及びバッテリー１１１を備える。
【００２２】
エンベデッドコントローラ１０８は、電子機器１において電力管理を行う組み込み型の制御装置である。エンベデッドコントローラ１０８は、ユーザにより図示しない電源スイッチがＯＮに操作されたとき、所定の起動シーケンスに従ってバッテリー１１１の電力を第１電源回路１１０Ａ〜第４電源回路１１０Ｄへ供給する。逆に、電源スイッチがＯＦＦに操作されたとき、エンベデッドコントローラ１０８は、第１電源回路１１０Ａ〜第４電源回路１１０Ｄへの電力供給を停止する。
【００２３】
また、エンベデッドコントローラ１０８は、診断部及び切替部としての機能を備える。診断部としてのエンベデッドコントローラ１０８は、第１電源回路１１０Ａ〜第４電源回路１１０Ｄの各々の起動状態を診断し、その診断結果をＥＣ用メモリ１０９に出力する。また、切替部としてのエンベデッドコントローラ１０８は、ユーザの操作に応じて表示部（ＬＥＤ４）の表示対象を電波強度及び電池残量から診断結果に切り替える。
【００２４】
ＥＣ用メモリ１０９は、エンベデッドコントローラ１０８における診断結果を記憶する記憶部であり、フラッシュメモリなどの不揮発性メモリである。なお、ＥＣ用メモリ１０９内の記憶データは電子機器１が正常にシャットダウンされた場合に全てリセットされるものとする。すなわち、ＥＣ用メモリ１０９は、異常発生時の診断結果のみを記憶すると好適である。
【００２５】
第１電源回路１１０Ａ〜第４電源回路１１０Ｄは、図示しないセンサや各部の装置に対して電力を供給する回路である。本実施形態では、電源回路の数を４つとしているが、これに限られない。エンベデッドコントローラ１０８がバッテリー１１１からの電力供給を受けたとき、第１電源回路１１０Ａ〜第４電源回路１１０Ｄは、エンベデッドコントローラ１０８によって所定の起動シーケンスに従って起動される。バッテリー１１１は、主電源としての充電式の電池である。
【００２６】
図４は、第１実施形態に係る電子機器１におけるエンベデッドコントローラ１０８周辺の回路図である。ここでは、ディップスイッチ６の操作によってエンベデッドコントローラ１０８に「通常モード」又は「起動診断モード」の選択信号Ｓが出力されたとき、エンベデッドコントローラ１０８がＬＥＤ４における表示対象を切り替え可能な回路が示されている。
【００２７】
「通常モード」は、電子機器１の通常使用時において変化する電池残量と電波強度をＬＥＤ４における表示対象とする。通常モードにおいて、エンベデッドコントローラ１０８は、ＣＰＵ１０１から電池残量情報と電波強度情報を取得する。エンベデッドコントローラ１０８は、電池残量情報に基づく出力信号Ａ０〜Ａ３をマルチプレクサ１１２Ａ〜１１２Ｄに出力する。マルチプレクサ１１２Ａ〜１１２Ｄは、電池残量表示部４Ａを構成する４個の発光素子ＬＥＤ＿０〜ＬＥＤ＿３に対して、エンベデッドコントローラ１０８からの出力信号Ａ０〜Ａ３に基づいて出力信号Ｃ０〜Ｃ３を出力する。
【００２８】
同様に、エンベデッドコントローラ１０８は、電波強度（アンテナレベル）に基づく出力信号Ａ４〜Ａ７をマルチプレクサ１１２Ｅ〜１１２Ｈに出力する。マルチプレクサ１１２Ｅ〜１１２Ｈは、電波強度表示部４Ｂを構成する４個の発光素子ＬＥＤ＿４〜ＬＥＤ＿７に対して、エンベデッドコントローラ１０８からの出力信号Ａ４〜Ａ７に基づいて出力信号Ｃ４〜Ｃ７を出力する。これにより、発光素子ＬＥＤ＿０〜ＬＥＤ＿７の点灯が制御され、電池残量表示部４Ａでは電池残量、電波強度表示部４Ｂでは電波強度（アンテナレベル）が表示される。
【００２９】
これに対し、「起動診断モード」は、エンベデッドコントローラ１０８の起動時（電源投入時）に実行された自己診断テストの結果をＬＥＤ４における表示対象とする。ディップスイッチ６が「起動診断モード」に切り替えられたとき、エンベデッドコントローラ１０８は、ＥＣ用メモリ１０９から自己診断テストの診断コードを取得する。本実施形態では、診断コードは８Ｂｉｔのバイナリデータであり、下位４ビット（ｂｉｔ０〜ｂｉｔ３）がエンベデッドコントローラ１０８による自己診断結果（下位診断コード）、上位４ビット（ｂｉｔ４〜ｂｉｔ７）がＣＰＵ１０１による自己診断結果（上位診断コード）を示すものとする。
【００３０】
エンベデッドコントローラ１０８は、下位診断コードに基づく出力信号Ｂ０〜Ｂ３をマルチプレクサ１１２Ａ〜１１２Ｄに出力する。マルチプレクサ１１２Ａ〜１１２Ｄは、電池残量表示部４Ａを構成する４個の発光素子ＬＥＤ＿０〜ＬＥＤ＿３に対して、エンベデッドコントローラ１０８からの出力信号Ｂ０〜Ｂ３に基づいて出力信号Ｃ０〜Ｃ３を出力する。
【００３１】
同様に、エンベデッドコントローラ１０８は、上位診断コードに基づく出力信号Ｂ４〜Ｂ７をマルチプレクサ１１２Ｅ〜１１２Ｈに出力する。マルチプレクサ１１２Ｅ〜１１２Ｈは、電波強度表示部４Ｂを構成する４個の発光素子ＬＥＤ＿４〜ＬＥＤ＿７に対して、エンベデッドコントローラ１０８からの出力信号Ｂ４〜Ｂ７に基づいて出力信号Ｃ４〜Ｃ７を出力する。すなわち、切替部としてのエンベデッドコントローラ１０８は、診断結果を示す８ビットのバイナリデータに１ビット単位で予め対応付けられた８個の発光素子ＬＥＤ＿０〜ＬＥＤ＿７を個別に制御する。これにより、電池残量表示部４Ａでは電池残量の代わりに下位診断コード、電波強度表示部４Ｂでは電波強度の代わりに上位診断コードを示す表示パターンが表示される。
【００３２】
なお、電子機器１は、図３及び図４に示すハードウェア構成に限定されず、その他の機器をさらに備えてもよい。
【００３３】
続いて、上述のように構成された本実施形態に係る電子機器１の動作について図５及び図６を参照しながら説明する。
図５は、第１実施形態に係る電子機器１の自己診断処理の具体例を示すフローチャートである。また、図６は、第１実施形態における電源回路の起動シーケンスとＥＣ用メモリ１０９内でのデータ変化との関係を説明する図である。自己診断処理は、ユーザが図示しない電源スイッチをＯＮにしたときに実行される。なお、図６に示すように、ＥＣ用メモリ１０９は、下位診断コードを示す４ビットのバイナリデータを記憶しており、そのビット列ｂｉｔ０〜ｂｉｔ３の初期値は、“００００”となっている。
【００３４】
先ず、エンベデッドコントローラ１０８は、所定の起動シーケンスを開始すると（ステップＳ１０１）、第１電源回路１１０Ａに対して電力を供給し、第１電源回路１１０Ａ内での入力電圧値の変化に基づいて第１電源回路１１０ＡがＯＮになったか否かを判定する（ステップＳ１０２）。
【００３５】
ここで、エンベデッドコントローラ１０８は、第１電源回路１１０ＡがＯＮになったと判定した場合（ステップＳ１０２：ＹＥＳ）には、下位診断コードを示すバイナリデータの右から１番目のｂｉｔ０にフラグ“１”をセットする（ステップＳ１０３）。フラグ“１”は、正常にＯＮとなったことを示す。図６では、ＥＣ用メモリ１０９におけるビット列ｂｉｔ０〜ｂｉｔ３の値は、“０００１”に更新されている。
【００３６】
これに対し、エンベデッドコントローラ１０８は、第１電源回路１１０ＡがＯＮになっていないと判定した場合（ステップＳ１０２：ＮＯ）には、ステップＳ１０４の処理へ進む。
【００３７】
次に、エンベデッドコントローラ１０８は、第２電源回路１１０Ｂに対して電力を供給し、第２電源回路１１０Ｂ内での入力電圧値の変化に基づいて第２電源回路１１０ＢがＯＮになったか否かを判定する（ステップＳ１０４）。
【００３８】
ここで、エンベデッドコントローラ１０８は、第２電源回路１１０ＢがＯＮになったと判定した場合（ステップＳ１０４：ＹＥＳ）には、下位診断コードを示すバイナリデータの右から２番目のｂｉｔ１にフラグ“１”をセットする（ステップＳ１０５）。図６では、ＥＣ用メモリ１０９におけるビット列ｂｉｔ０〜ｂｉｔ３の値は、“００１１”に更新されている。
【００３９】
これに対し、エンベデッドコントローラ１０８は、第２電源回路１１０ＢがＯＮになっていないと判定した場合（ステップＳ１０４：ＮＯ）には、ステップＳ１０６の処理へ進む。
【００４０】
次に、エンベデッドコントローラ１０８は、第３電源回路１１０Ｃに対して電力を供給し、第３電源回路１１０Ｃ内での入力電圧値の変化に基づいて第３電源回路１１０ＣがＯＮになったか否かを判定する（ステップＳ１０６）。
【００４１】
ここで、エンベデッドコントローラ１０８は、第３電源回路１１０ＣがＯＮになったと判定した場合（ステップＳ１０６：ＹＥＳ）には、下位診断コードを示すバイナリデータの右から３番目のｂｉｔ２にフラグ“１”をセットする（ステップＳ１０７）。図６では、ＥＣ用メモリ１０９におけるビット列ｂｉｔ０〜ｂｉｔ３の値は、“０１１１”に更新されている。
【００４２】
これに対し、エンベデッドコントローラ１０８は、第３電源回路１１０ＣがＯＮになっていないと判定した場合（ステップＳ１０６：ＮＯ）には、ステップＳ１０８の処理へ進む。
【００４３】
次に、エンベデッドコントローラ１０８は、第４電源回路１１０Ｄに対して電力を供給し、第４電源回路１１０Ｄ内での入力電圧値の変化に基づいて第４電源回路１１０ＤがＯＮになったか否かを判定する（ステップＳ１０８）。
【００４４】
ここで、エンベデッドコントローラ１０８は、第４電源回路１１０ＤがＯＮになったと判定した場合（ステップＳ１０８：ＹＥＳ）には、下位診断コードを示すバイナリデータの右から４番目（左から１番目）のｂｉｔ３にフラグ“１”をセットする（ステップＳ１０９）。図６では、ＥＣ用メモリ１０９におけるビット列ｂｉｔ０〜ｂｉｔ３の値は、“１１１１”に更新されている。
【００４５】
これに対し、エンベデッドコントローラ１０８は、第４電源回路１１０ＤがＯＮになっていないと判定した場合（ステップＳ１０８：ＮＯ）には、ステップＳ１１０の処理へ進む。
【００４６】
次に、エンベデッドコントローラ１０８は、下位診断コードを示すバイナリデータのビット列ｂｉｔ０〜ｂｉｔ３の値が“１１１１”であるか否かを判定する（ステップＳ１１０）。ビット列ｂｉｔ０〜ｂｉｔ３の値“１１１１”は、第１電源回路１１０Ａ〜第４電源回路１１０Ｄの全てにおいて電源異常が発生せずに起動できたことを意味する。
【００４７】
ここで、エンベデッドコントローラ１０８は、ビット列ｂｉｔ０〜ｂｉｔ３の値が“１１１１”であると判定した場合（ステップＳ１１０：ＹＥＳ）には、第１電源回路１１０Ａ〜第４電源回路１１０Ｄについての自己診断結果が正常であるとみなし、ステップＳ１１１の処理へ進む。
【００４８】
これに対し、エンベデッドコントローラ１０８は、ビット列ｂｉｔ０〜ｂｉｔ３の値が“１１１１”ではないと判定した場合（ステップＳ１１０：ＮＯ）には、ステップＳ１０１〜ステップＳ１１０の処理を再度繰り返す。すなわち、いずれかの電源回路に異常があった場合には、各電源回路に対応するビットの値が“０”のままとなる。例えば、第２電源回路１１０Ｂでのみ異常が発生している場合、ビット列ｂｉｔ０〜ｂｉｔ３の値は“１１０１”となる。
【００４９】
そして、ＣＰＵ１０１は、電源回路の正常起動に伴って自己診断処理を実行し、その診断結果を上位診断コードとしてエンベデッドコントローラ１０８に出力する（ステップＳ１１１）。これに伴い、エンベデッドコントローラ１０８は、上位診断コードを示す４ビットのバイナリデータをＥＣ用メモリ１０９の所定領域（ｂｉｔ４〜ｂｉｔ７）に記憶し、処理を終了する。
【００５０】
図７は、第１実施形態に係る電子機器１の起動診断モード時の表示制御の具体例を示すフローチャートである。この処理は、ユーザの操作によってディップスイッチ６が「起動診断モード」に切り替えられることをトリガーとして開始される。
【００５１】
先ず、エンベデッドコントローラ１０８は、ＥＣ用メモリ１０９から上位診断コード及び下位診断コードに係るバイナリデータをそれぞれ取得する（ステップＳ２０１）。
【００５２】
次に、エンベデッドコントローラ１０８は、下位診断コードを示す４ビットのバイナリデータに基づいて、ＬＥＤ４の８個の発光素子ＬＥＤ＿０〜ＬＥＤ＿７の内、発光素子ＬＥＤ＿０〜ＬＥＤ＿３の点灯を制御する（ステップＳ２０２）。
【００５３】
そして、エンベデッドコントローラ１０８は、上位診断コードを示す４ビットのバイナリデータに基づいて、発光素子ＬＥＤ＿４〜ＬＥＤ＿７の点灯を制御し（ステップＳ２０３）、処理を終了する。
【００５４】
図８は、第１実施形態に係る電子機器１の通常モード時の表示制御の具体例を示すフローチャートである。この処理は、ディップスイッチ６により「通常モード」が選択されている間、所定の周期で実行される。
【００５５】
先ず、ＣＰＵ１０１は、図示しない電池残量検知部から電池残量情報を取得し、エンベデッドコントローラ１０８へ出力する（ステップＳ３０１）。
次に、エンベデッドコントローラ１０８は、電池残量情報に基づいて、ＬＥＤ４の８個の発光素子ＬＥＤ＿０〜ＬＥＤ＿７の内、発光素子ＬＥＤ＿０〜ＬＥＤ＿３の点灯を制御する（ステップＳ３０２）。
【００５６】
次に、ＣＰＵ１０１は、通信インタフェース１０４から電子機器１の周囲における所定の周波数の電波についての電波強度情報を取得し、エンベデッドコントローラ１０８へ出力する（ステップＳ３０３）。
【００５７】
そして、エンベデッドコントローラ１０８は、電波強度情報に基づいて、ＬＥＤ４の８個の発光素子ＬＥＤ＿０〜ＬＥＤ＿７の内、発光素子ＬＥＤ＿４〜ＬＥＤ＿７の点灯を制御し（ステップＳ３０４）、処理を終了する。
【００５８】
図９は、第１実施形態におけるディップスイッチ６の選択モードとＬＥＤ４の表示対象との関係を説明する図である。図９（Ａ）では、ディップスイッチ６により「通常モード」が選択されたときの電池残量表示部４Ａ及び電波強度表示部４Ｂの表示状態を示している。電池残量表示部４Ａでは、左側の３つの発光素子ＬＥＤ＿３、ＬＥＤ＿２、ＬＥＤ＿１が点灯し、電池残量がレベル３であることを示している。また、電波強度表示部４Ｂでは、左側の３つの発光素子ＬＥＤ＿７、ＬＥＤ＿６、ＬＥＤ＿５が点灯し、電波強度がレベル３であることを示している。
【００５９】
図９（Ｂ）では、ディップスイッチ６により「起動診断モード」が選択されたときの電池残量表示部４Ａ及び電波強度表示部４Ｂの表示状態を示している。電池残量表示部４Ａでは、左端の発光素子ＬＥＤ＿３と右から２番目の発光素子ＬＥＤ＿１が点灯することで、下位診断コード“１０１０”を示している。また、電波強度表示部４Ｂでは、左端の発光素子ＬＥＤ＿７、右から１番目の発光素子ＬＥＤ＿４、右から２番目の発光素子ＬＥＤ＿５が点灯することで、上位診断コードが“１０１１（１６進数に変換するとＡ）”であることを示している。このように、診断コードが合計８ビットのバイナリデータで表される場合、１６進数に変換すると、“００”〜“ＦＦ”の範囲で診断結果を表示可能である。
【００６０】
以上のように、本実施形態に係る電子機器１によれば、電波強度又は電池残量の表示用として予め設けられているＬＥＤ４を利用して、エンベデッドコントローラ１０８又はＣＰＵ１０１による自己診断処理の診断結果を表示できる。すなわち、診断結果を表示するための表示器、あるいは外部からデバッグボードを接続するためのインタフェースを設ける必要がなくなるため、製造コストを抑えつつ、電子機器１において診断結果を確認できる。
【００６１】
また、図３及び図４に示したように、ＬＥＤ４（表示部）及びエンベデッドコントローラ１０８（診断部及び切替部）は、ＣＰＵ１０１の制御情報に従って画像又はテキスト情報を表示するディスプレイ１０６とは異なる電気系統に接続されている。これにより、電子機器１において異常が発生し、ディスプレイ１０６に情報を表示できない場合でも、エンベデッドコントローラ１０８による診断結果を表示できる。
【００６２】
また、図５及び図６に示したように、エンベデッドコントローラ１０８（診断部）は、電源投入時に所定の起動シーケンスに従って起動される電源回路ごとに診断処理を実行する。これにより、電源投入時に電源異常が発生し、ＣＰＵ１０１が動作できない場合でも、電源回路についての診断結果を表示できる。
【００６３】
また、エンベデッドコントローラ１０８（切替部）は、ユーザの操作に応じて表示対象を切り替える。これにより、ユーザが診断結果を確認したいときに、表示対象を簡単に切り替えることができる。
【００６４】
また、電子機器１は、診断結果を記憶するＥＣ用メモリ１０９（記憶部）を備えており、エンベデッドコントローラ１０８（切替部）は、ユーザの操作に応じてＥＣ用メモリ１０９から取得した診断結果に基づいてＬＥＤ４（表示部）における表示対象を切り替える。これにより、ユーザがディップスイッチ６の切替操作を繰り返し行った場合、あるいは異常が間欠的に発生した場合でもＥＣ用メモリ１０９から診断結果を読み出して表示できる。この結果、ユーザは異常原因の特定を容易に行える。
【００６５】
また、ＬＥＤ４（表示部）は、８個の発光素子ＬＥＤ＿０〜ＬＥＤ＿７（表示素子）を含んでおり、エンベデッドコントローラ１０８（切替部）は、診断結果に基づいて８個の発光素子ＬＥＤ＿０〜ＬＥＤ＿７のＯＮ／ＯＦＦを個別に制御する。これにより、複数の表示パターンによって様々な診断結果を表示できる。
【００６６】
さらに、電子機器１の開発時のデバッグ作業においても同様の構成で自己診断処理を実行できるため、製造工程の効率化や品質改善の効果も奏する。
【００６７】
［第２実施形態］
図１０は、第２実施形態に係る電子機器１０の機能を示すブロック図である。電子機器１０は、所定の機能を有する回路部１１と、回路部１１の診断処理を実行する診断部１２と、電池残量又は電波強度を表示する表示部１３と、表示部１３の表示対象を診断部１２の診断結果に切り替える切替部１４と、を備える。
本実施形態に係る電子機器１０によれば、製造コストを抑えつつ、自己診断結果を確認できる。
【００６８】
［変形実施形態］
以上、実施形態を参照して本発明を説明したが、本発明は上述の実施形態に限定されるものではない。本願発明の構成及び詳細には本発明の要旨を逸脱しない範囲で、当業者が理解し得る様々な変形をすることができる。例えば、いずれかの実施形態の一部の構成を、他の実施形態に追加した実施形態、あるいは他の実施形態の一部の構成と置換した実施形態も本発明を適用し得る実施形態であると理解されるべきである。
【００６９】
例えば、上述の実施形態では、エンベデッドコントローラ１０８（切替部）は、合計８ビットで表される診断結果（診断コード）に１ビット単位で対応する８個の発光素子ＬＥＤ＿０〜ＬＥＤ＿７のＯＮ／ＯＦＦを個別に制御していたが、発光素子の数は８個のみに限られない。また、表示部の表示素子として発光素子であるＬＥＤを用いていたが、発光素子以外でもよい。すなわち、エンベデッドコントローラ１０８（切替部）は、診断結果を示すＮ（Ｎ≧２）ビットのバイナリデータに１ビット単位で予め対応付けられたＮ個の表示素子を制御するように構成できる。これにより、例えば、表示素子が１個の場合には２通り（ＯＮ／ＯＦＦ表示）の表示パターンであるが、表示素子がＮ個の場合には２のＮ乗通りの表示パターンで診断コードを表すことができる。
【００７０】
また、エンベデッドコントローラ１０８（切替部）は、診断結果に基づいて複数の表示素子の表示色を変化させるように構成してもよい。例えば、表示素子が３色ＬＥＤならば、表示素子のＯＮ／ＯＦＦと表示色の種類とを組み合わせることで表示パターンが増えるため、より多くの診断コードを表すことができる。
【００７１】
上述の実施形態では、ＬＥＤ４（表示部）は、通常モードにおいて、電池残量及び電波強度の両方を表示対象としていたが、表示対象はこれらに限られない。ＬＥＤ４（表示部）が通常モードにおいて所望のセンサデータを表示対象とする場合には、既存の表示部を用いて診断結果に切替表示できる。
【００７２】
上述の実施形態では、電子機器１はタブレット端末であったが、スマートフォンやパーソナルコンピュータなどの他の機器でもよい。
【００７３】
また、上述の各実施形態の機能を実現するように該実施形態の構成を動作させるプログラムを記録媒体に記録させ、該記録媒体に記録されたプログラムをコードとして読み出し、コンピュータにおいて実行する処理方法も各実施形態の範疇に含まれる。すなわち、コンピュータ読取可能な記録媒体も各実施形態の範囲に含まれる。また、上述のコンピュータプログラムが記録された記録媒体はもちろん、そのコンピュータプログラム自体も各実施形態に含まれる。
【００７４】
上述の実施形態の一部又は全部は、以下の付記のようにも記載されうるが、以下には限られない。
【００７５】
（付記１）
所定の機能を有する回路部と、
前記回路部の診断処理を実行する診断部と、
電池残量又は電波強度を表示する表示部と、
前記表示部の表示対象を前記診断部の診断結果に切り替える切替部と、
を備えることを特徴とする電子機器。
【００７６】
（付記２）
画像又はテキスト情報を表示するディスプレイ
をさらに備え、
前記表示部は、前記ディスプレイとは別に設けられている
ことを特徴とする付記１に記載の電子機器。
【００７７】
（付記３）
前記回路部は、電源投入時に所定の起動シーケンスに従って起動される電源回路を含み、
前記診断部は、前記電源回路ごとに前記診断処理を実行する
ことを特徴とする付記２に記載の電子機器。
【００７８】
（付記４）
前記切替部は、ユーザの操作に応じて前記表示対象を切り替える
ことを特徴とする付記１乃至３のいずれかに記載の電子機器。
【００７９】
（付記５）
前記診断結果を記憶する記憶部
をさらに備え、
前記切替部は、前記操作に応じて前記記憶部から取得した前記診断結果に基づいて前記表示対象を切り替える
ことを特徴とする付記４に記載の電子機器。
【００８０】
（付記６）
前記表示部は、複数の表示素子を含み、
前記切替部は、前記診断結果に基づいて前記複数の表示素子のＯＮ／ＯＦＦを個別に制御する
ことを特徴とする付記１乃至５のいずれかに記載の電子機器。
【００８１】
（付記７）
前記切替部は、前記診断結果を示すＮ（Ｎ≧２）ビットのバイナリデータにビット単位で予め対応付けられたＮ個の前記表示素子を個別に制御する
ことを特徴とする付記６に記載の電子機器。
【００８２】
（付記８）
前記切替部は、前記診断結果に基づいて前記複数の表示素子の表示色を変化させる
ことを特徴とする付記６に記載の電子機器。
【００８３】
（付記９）
電池残量又は電波強度を表示装置に表示する表示ステップと、
所定の機能を有する回路の診断処理を実行する診断ステップと、
前記表示装置における表示対象を前記診断ステップの診断結果に切り替える切替ステップと、
を備えることを特徴とする電子機器の自己診断方法。
【００８４】
（付記１０）
コンピュータに、
電池残量又は電波強度を表示装置に表示する表示ステップと、
所定の機能を有する回路の診断処理を実行する診断ステップと、
前記表示装置における表示対象を前記診断ステップの診断結果に切り替える切替ステップと、
を実行させることを特徴とする自己診断プログラム。
【符号の説明】
【００８５】
１，１０・・・電子機器
２・・・タッチスクリーン
３・・・カメラ
４・・・ＬＥＤ
４Ａ・・・電池残量表示部
４Ｂ・・・電波強度表示部
５・・・バッテリー取付部
６・・・ディップスイッチ
１１・・・回路部
１２・・・診断部
１３・・・表示部
１４・・・切替部
１００・・・バスライン
１０１・・・ＣＰＵ
１０２・・・メモリ
１０３・・・記憶装置
１０４・・・通信インタフェース
１０５・・・入力装置
１０６・・・ディスプレイ
１０７・・・スピーカ
１０８・・・エンベデッドコントローラ（ＥＣ）
１０９・・・ＥＣ用メモリ
１１０Ａ・・・第１電源回路
１１０Ｂ・・・第２電源回路
１１０Ｃ・・・第３電源回路
１１０Ｄ・・・第４電源回路
１１１・・・バッテリー
１１２Ａ〜１１２Ｈ・・・マルチプレクサ
ＬＥＤ＿０〜ＬＥＤ＿７・・・発光素子
【図１】
2019082775.tif 000003
【図２】
2019082775.tif 000004
【図３】
2019082775.tif 000005
【図４】
2019082775.tif 000006
【図５】
2019082775.tif 000007
【図６】
2019082775.tif 000008
【図７】
2019082775.tif 000009
【図８】
2019082775.tif 000010
【図９】
2019082775.tif 000011
【図１０】
2019082775.tif 000012
【手続補正書】
【提出日】平成30年7月26日(2018.7.26)
【手続補正１】
【補正対象書類名】特許請求の範囲
【補正対象項目名】全文
【補正方法】変更
【補正の内容】
【特許請求の範囲】
【請求項１】
所定の機能を有する回路部と、
前記回路部の診断処理を実行する診断部と、
電池残量を表示する、複数の表示素子を有する第１の表示領域と電波強度を表示する、複数の表示素子を有する第２の表示領域とを含む表示部と、
前記表示部の表示対象を前記診断部の診断結果に切り替える切替部と、
を備え、
前記回路部は、電源投入時に所定の起動シーケンスに従って起動される複数の電源回路を含み、
前記診断部は、前記複数の電源回路のそれぞれが正常に起動したか否かを診断する第１の診断処理と、ＣＰＵによって自己診断を行う第２の診断処理とを実行し、
前記切替部は、前記第１の診断処理の結果と前記第２の診断処理の結果とを、前記表示部の前記第１の表示領域と前記第２の表示領域とに、別々に表示することを特徴とする電子機器。
【請求項２】
前記診断部は、前記第１の診断処理において、前記複数の電源回路が正常に起動したと判断した場合のみ、前記第２の診断処理を実行する
ことを特徴とする請求項１に記載の電子機器。
【請求項３】
前記第１の表示領域及び前記第２の表示領域は、それぞれ４個の表示素子を含む
ことを特徴とする請求項１に記載の電子機器。
【請求項４】
前記複数の表示素子は、Ｎ（Ｎ≧２）ビットのバイナリデータにビット単位で予め対応付けられたＮ個の前記表示素子であり、
前記切替部は、前記第１の診断処理の結果と前記第２の診断処理の結果とに基づいて前記表示素子のＯＮ／ＯＦＦと前記表示素子の複数の表示色との組み合わせを変化させる
ことを特徴とする請求項１に記載の電子機器。
【請求項５】
画像又はテキスト情報を表示するディスプレイ
をさらに備え、
前記表示部は、前記ディスプレイとは別に設けられている
ことを特徴とする請求項１に記載の電子機器。
【請求項６】
前記切替部は、ユーザの操作に応じて前記表示対象を切り替える
ことを特徴とする請求項１乃至５のいずれか一項に記載の電子機器。
【請求項７】
前記第１の診断処理の結果と前記第２の診断処理の結果とを記憶する記憶部
をさらに備え、
前記切替部は、前記操作に応じて前記記憶部から取得した前記第１の診断処理の結果と前記第２の診断処理の結果とに基づいて前記表示対象を切り替える
ことを特徴とする請求項６に記載の電子機器。
【請求項８】
電池残量を表示装置の第１の表示領域に設けられた複数の表示素子に表示する第１の表示ステップと、
電波強度を前記表示装置の第２の表示領域に設けられた複数の表示素子に表示する第２の表示ステップと、
所定の機能を有する回路に含まれ、電源投入時に所定の起動シーケンスに従って起動される複数の電源回路のそれぞれが正常に起動したか否かを診断する第１の診断処理を実行する第１の診断ステップと、
前記回路をＣＰＵによって自己診断する第２の診断処理を実行する第２の診断ステップと、
前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、
を備えることを特徴とする電子機器の自己診断方法。
【請求項９】
コンピュータに、
電池残量を表示装置の第１の表示領域に設けられた複数の表示素子に表示する第１の表示ステップと、
電波強度を前記表示装置の第２の表示領域に設けられた複数の表示素子に表示する第２の表示ステップと、
所定の機能を有する回路に含まれ、電源投入時に所定の起動シーケンスに従って起動される複数の電源回路のそれぞれが正常に起動したか否かを診断する第１の診断処理を実行する第１の診断ステップと、
前記回路をＣＰＵによって自己診断する第２の診断処理を実行する第２の診断ステップと、
前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、
を実行させることを特徴とする自己診断プログラム。
【手続補正２】
【補正対象書類名】明細書
【補正対象項目名】０００６
【補正方法】変更
【補正の内容】
【０００６】
本発明の一つの観点によれば、所定の機能を有する回路部と、前記回路部の診断処理を実行する診断部と、電池残量を表示する、複数の表示素子を有する第１の表示領域と電波強度を表示する、複数の表示素子を有する第２の表示領域とを含む表示部と、前記表示部の表示対象を前記診断部の診断結果に切り替える切替部と、を備え、前記回路部は、電源投入時に所定の起動シーケンスに従って起動される複数の電源回路を含み、前記診断部は、前記複数の電源回路のそれぞれが正常に起動したか否かを診断する第１の診断処理と、ＣＰＵによって自己診断を行う第２の診断処理とを実行し、前記切替部は、前記第１の診断処理の結果と前記第２の診断処理の結果とを、前記表示部の前記第１の表示領域と前記第２の表示領域とに、別々に表示することを特徴とする電子機器が提供される。
【手続補正３】
【補正対象書類名】明細書
【補正対象項目名】０００７
【補正方法】変更
【補正の内容】
【０００７】
本発明の他の観点によれば、電池残量を表示装置の第１の表示領域に設けられた複数の表示素子に表示する第１の表示ステップと、電波強度を前記表示装置の第２の表示領域に設けられた複数の表示素子に表示する第２の表示ステップと、所定の機能を有する回路に含まれ、電源投入時に所定の起動シーケンスに従って起動される複数の電源回路のそれぞれが正常に起動したか否かを診断する第１の診断処理を実行する第１の診断ステップと、前記回路をＣＰＵによって自己診断する第２の診断処理を実行する第２の診断ステップと、前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、を備えることを特徴とする電子機器の自己診断方法が提供される。
【手続補正４】
【補正対象書類名】明細書
【補正対象項目名】０００８
【補正方法】変更
【補正の内容】
【０００８】
本発明のさらに他の観点によれば、コンピュータに、電池残量を表示装置の第１の表示領域に設けられた複数の表示素子に表示する第１の表示ステップと、電波強度を前記表示装置の第２の表示領域に設けられた複数の表示素子に表示する第２の表示ステップと、所定の機能を有する回路に含まれ、電源投入時に所定の起動シーケンスに従って起動される複数の電源回路のそれぞれが正常に起動したか否かを診断する第１の診断処理を実行する第１の診断ステップと、前記回路をＣＰＵによって自己診断する第２の診断処理を実行する第２の診断ステップと、前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、を実行させることを特徴とする自己診断プログラムが提供される。
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
所定の機能を有する回路部と、
前記回路部の診断処理を実行する診断部と、
電池残量を表示する、複数の表示素子を有する第１の表示領域と電波強度を表示する、複数の表示素子を有する第２の表示領域とを含む表示部と、
前記表示部の表示対象を前記診断部の診断結果に切り替える切替部と、
を備え、
前記回路部は、第１の制御装置によって電源投入時に所定の起動シーケンスに従って起動される複数の電源回路を含み、
前記診断部は、前記第１の制御装置によって前記複数の電源回路のそれぞれが正常に起動したか否かを診断する第１の診断処理と、第２の制御装置によって前記複数の電源回路以外についての自己診断を行う第２の診断処理とを実行し、
前記切替部は、前記第１の診断処理の結果と前記第２の診断処理の結果とを、前記表示部の前記第１の表示領域と前記第２の表示領域とに、別々に表示することを特徴とする電子機器。
【請求項２】
不揮発性の記憶部をさらに備え、
前記診断部は、前記第１の診断処理の結果と前記第２の診断処理の結果とを前記記憶部に別々に記憶し、
前記切替部は、ユーザの操作に応じて前記記憶部から読み出した前記第１の診断処理の結果と前記第２の診断処理の結果とを、前記表示部の前記第１の表示領域と前記第２の表示領域とに、別々に表示することを特徴とする請求項１に記載の電子機器。
【請求項３】
前記診断部は、前記第１の診断処理において、前記複数の電源回路が正常に起動したと判断した場合のみ、前記第２の診断処理を実行する
ことを特徴とする請求項１又は２に記載の電子機器。
【請求項４】
前記第１の表示領域及び前記第２の表示領域は、それぞれ４個の表示素子を含む
ことを特徴とする請求項１乃至３のいずれか一項に記載の電子機器。
【請求項５】
前記複数の表示素子は、Ｎ（Ｎ≧２）ビットのバイナリデータにビット単位で予め対応付けられたＮ個の前記表示素子であり、
前記切替部は、前記第１の診断処理の結果と前記第２の診断処理の結果とに基づいて前記表示素子のＯＮ／ＯＦＦと前記表示素子の複数の表示色との組み合わせを変化させる
ことを特徴とする請求項１乃至３のいずれか一項に記載の電子機器。
【請求項６】
画像又はテキスト情報を表示するディスプレイ
をさらに備え、
前記表示部は、前記ディスプレイとは別に設けられている
ことを特徴とする請求項１乃至５のいずれか一項に記載の電子機器。
【請求項７】
電池残量を表示装置の第１の表示領域に設けられた複数の表示素子に表示する第１の表示ステップと、
電波強度を前記表示装置の第２の表示領域に設けられた複数の表示素子に表示する第２の表示ステップと、
所定の機能を有する回路に含まれ、電源投入時に所定の起動シーケンスに従って起動される複数の電源回路のそれぞれが正常に起動したか否かを第１の制御装置によって診断する第１の診断処理を実行する第１の診断ステップと、
第２の制御装置によって前記複数の電源回路以外について自己診断する第２の診断処理を実行する第２の診断ステップと、
前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、
を備えることを特徴とする電子機器の自己診断方法。
【請求項８】
コンピュータに、
電池残量を表示装置の第１の表示領域に設けられた複数の表示素子に表示する第１の表示ステップと、
電波強度を前記表示装置の第２の表示領域に設けられた複数の表示素子に表示する第２の表示ステップと、
所定の機能を有する回路に含まれ、電源投入時に所定の起動シーケンスに従って起動される複数の電源回路のそれぞれが正常に起動したか否かを第１の制御装置によって診断する第１の診断処理を実行する第１の診断ステップと、
第２の制御装置によって前記複数の電源回路以外について自己診断する第２の診断処理を実行する第２の診断ステップと、
前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、
を実行させることを特徴とする自己診断プログラム。
【手続補正２】
【補正対象書類名】明細書
【補正対象項目名】０００６
【補正方法】変更
【補正の内容】
【０００６】
本発明の一つの観点によれば、所定の機能を有する回路部と、前記回路部の診断処理を実行する診断部と、電池残量を表示する、複数の表示素子を有する第１の表示領域と電波強度を表示する、複数の表示素子を有する第２の表示領域とを含む表示部と、前記表示部の表示対象を前記診断部の診断結果に切り替える切替部と、を備え、前記回路部は、第１の制御装置によって電源投入時に所定の起動シーケンスに従って起動される複数の電源回路を含み、前記診断部は、前記第１の制御装置によって前記複数の電源回路のそれぞれが正常に起動したか否かを診断する第１の診断処理と、第２の制御装置によって前記複数の電源回路以外について自己診断を行う第２の診断処理とを実行し、前記切替部は、前記第１の診断処理の結果と前記第２の診断処理の結果とを、前記表示部の前記第１の表示領域と前記第２の表示領域とに、別々に表示することを特徴とする電子機器が提供される。
【手続補正３】
【補正対象書類名】明細書
【補正対象項目名】０００７
【補正方法】変更
【補正の内容】
【０００７】
本発明の他の観点によれば、電池残量を表示装置の第１の表示領域に設けられた複数の表示素子に表示する第１の表示ステップと、電波強度を前記表示装置の第２の表示領域に設けられた複数の表示素子に表示する第２の表示ステップと、所定の機能を有する回路に含まれ、電源投入時に所定の起動シーケンスに従って起動される複数の電源回路のそれぞれが正常に起動したか否かを第１の制御装置によって診断する第１の診断処理を実行する第１の診断ステップと、第２の制御装置によって前記複数の電源回路以外について自己診断する第２の診断処理を実行する第２の診断ステップと、前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、を備えることを特徴とする電子機器の自己診断方法が提供される。
【手続補正４】
【補正対象書類名】明細書
【補正対象項目名】０００８
【補正方法】変更
【補正の内容】
【０００８】
本発明のさらに他の観点によれば、コンピュータに、電池残量を表示装置の第１の表示領域に設けられた複数の表示素子に表示する第１の表示ステップと、電波強度を前記表示装置の第２の表示領域に設けられた複数の表示素子に表示する第２の表示ステップと、所定の機能を有する回路に含まれ、電源投入時に所定の起動シーケンスに従って起動される複数の電源回路のそれぞれが正常に起動したか否かを第１の制御装置によって診断する第１の診断処理を実行する第１の診断ステップと、第２の制御装置によって前記複数の電源回路以外について自己診断する第２の診断処理を実行する第２の診断ステップと、前記表示装置における表示対象を前記第１の診断ステップの診断結果と前記第２の診断ステップの診断結果とに切り替え、前記第１の診断ステップの診断結果と前記第２の診断ステップの診断結果とを、前記表示装置の前記第１の表示領域と前記第２の表示領域とに、別々に表示する切替ステップと、を実行させることを特徴とする自己診断プログラムが提供される。